(57)【特許請求の範囲】
【請求項１】
母線片及びＵ字状に曲げられる板ばねを持つ１線又は多線電気導体用ばね力締付け接続端子であって、
母線片が、角形片を形成する保持脚辺（１０）と接触脚辺（１１）とを持ち、
板ばね（１２）の保持に役立つ保持脚辺（１０）が、その背面を導体導入方向に対してほぼ直角に設けられ、かつ電気導体を通すための貫通孔を持ち、
接触脚辺（１１）が母線片の角形片の頂点において保持脚辺（１０）に直接続きかつ導体導入方向に延び、
板ばね（１２）が、Ｕ字状に開きかつ２つのループ部分（１６，２０）を持つループのように形成され、これらのループ部分のうち一方のループ部分（２０）が、締付け脚辺として導体導入方向に延び、かつ母線片の接触脚辺（１１）の方へ向けられ、一方のループ部分（２０）の基端（１８）が母線片の接触脚辺（１１）と共に電気導体用締付け個所を形成しているものにおいて、
母線片の保持脚辺（１０）にある貫通孔が長穴貫通孔（１３）として形成され、この長穴貫通孔が角形片の頂点に対して直角に向けられ、長穴貫通孔（１３）が互いに平行な側面（１５）を持ち、これらの側面（１５）の間隔が板ばね（１２）の基端（１８）を持つ一方のループ部分（２０）の幅より大きく、
板ばね（１２）が、両方のループ部分（１６，２０）を母線片の保持脚辺（１０）の長穴貫通孔（１３）へ挿入されて、板ばね（１２）の頭部端（１４）から出るループ部分（１６）が、導体導入方向とは逆に角形片の保持脚辺（１０）の背面から離れるように延び、導体導入方向において基端（１８）へ戻る一方のループ部分（２０）が、長穴貫通孔（１３）を通って母線片の接触脚辺（１１）へ向かって延びている
ことを特徴とする、ばね力締付け接続端子。
【請求項２】
板ばね（１２）の一方のループ部分（２０）の基端（１８）と母線片の接触脚辺（１１）との間に形成される締付け個所が、角形片の頂点の近くに位置していることを特徴とする、請求項１に記載のばね力締付け接続端子。
【請求項３】
板ばね（１２）の一方のループ部分（２０）の基端（１８）の昇降運動が、長穴貫通孔（１３）の側面（１５）により案内されることを特徴とする、請求項１に記載のばね力締付け接続端子。
【発明の詳細な説明】
【０００１】
【産業上の利用分野】
本発明は請求項１の上位概念による１線又は多線電気導体用ばね力締付け接続端子に関する。
【０００２】
【従来の技術】
このような接続端子は米国特許第４３９７５１４号明細書から公知である。この接続端子では、板ばねの有効長は母線片の保持脚辺と接触脚辺との間の対角線方向に測つた間隔にほぼ等しい。この公知の接続端子では、多線特に細線電気導体の差込みに必要であるように、″軟らかい″ばね特性を得ようとすれば、板ばねの有効長をそれに応じて大きく定めねばならない。しかし板ばねの大きい長さのため、母線片の保持脚辺と接触脚辺との間隔が大きくなる結果、母線片の打抜き及び成形のための材料消費がそれに応じて大きくなる。
【０００３】
これは不利である。なぜならば、母線片を製造するための材料はよく通電可能でなければならず、それに応じて高価になるからである。更にこの形式の接続端子は量産品であり、高価な材料の大きい需要は全生産費を著しく高める。
【０００４】
【発明が解決しようとする課題】
本発明の課題は、軟らかい（長い）板ばねの使用を可能にし、それによる母線片の材料消費を高めることのない、最初にあげた形式の接続端子を提供することである。
【０００５】
【課題を解決するための手段】
この課題は請求項１の特徴部分によつて解決される。
【０００６】
本発明による接続端子では、板ばねの大きいループ部分が所望の軟らかいばね特性に用いられる。ループ部分は導体導入方向とは逆に延び、このような接続端子ではいずれにせよ締付け個所用の正確な導入ホツパを形成するため導体導入通路構造の狭めにより存在する絶縁物ハウジング内の構造的自由空間を利用している。
【０００７】
ループをなす板ばねの頭部は、母線片の角形片の頂点において角形片の接触脚辺に直接続く保持脚辺に支持されている。請求項２により、板ばねの基端が接触脚辺と共に角形片の頂点の近くに締付け個所を形成している（これは本発明による接続端子では所望のばね特性をそこなうことなしに可能である）と、角形片母線片の保持脚辺は、板ばねの締付け力から張力のみをかけられる。保持脚辺への望ましくない曲げモーメントがなくなるので、保持脚辺の強度は引張り強度のみを考慮すればよく、それにより保持脚辺の構造的寸法決定の際、それに応じて材料を節約することができる。
【０００８】
このことは、角形片母線片の接触脚辺の構造的寸法決定についてもいえる。接触脚辺は、請求項２の特徴（締付け個所の角形片頂点に近い配置）により、同様に大した曲げモーメントを受止める必要がなく、全体としてあらゆる種類の機械的荷重（曲げ力、張力）も受けない。接触脚辺は大体において通電にのみ用いられ、従つて充分な通電断面の観点のみから、その断面の大きさ設定を最適化することができる。これも材料を節約する。
【０００９】
【実施例】
図面に基いて本発明の実施例を以下に説明する。
【００１０】
図１には、端面の絶縁物蓋５により閉鎖される端子ハウジングとしての絶縁物ハウジング４を持つ接続端子が示されている。絶縁物蓋５には、列をなして横に並ぶ複数の導体導入口６がある（これについては図３も参照）。各導体導入口６は、絶縁物ハウジング全体を通つて延び（これについては図１に記入されている中心線７を参照）かつその盲穴端部８により差込まれる電気導体のストツパも形成する導体導入通路の始点である。
【００１１】
絶縁物ハウジング４内には、図２に詳細に示される接触子挿入体が設けられている。接触子挿入体は全部で６つの板ばね１２を持つ母線片から成り、これらの板ばね１２は列をなして横に並んで互いに平行に母線片内に組込まれている。
【００１２】
母線片は、角形片の頂点で母線片の接触脚辺１１に直接続く保持脚辺１０を持つ角形片の形の断面輪郭を持つている。この角形片母線片は接続端子の絶縁物ハウジング４へ組込まれて（図１参照）、保持脚辺１０が導体導入方回に対して直角に導体導入通路内に設けられ、接触脚辺１１が導体導入方向に延びるようになつている。
【００１３】
各板ばね１２のために、保持脚辺１０にスリツト状長穴貫通孔（以下昇降スリツトと称する）１３が設けられて、その上端が板ばね１２の頭部端１４の支持に用いられ、その中間範囲の側面１５で板ばね１２を案内し（いわゆる昇降スリツトの機能）、その下の範囲に電気導体を通すために必要な貫通孔を形成している。
【００１４】
各板ばね１２はＵ字状に開くループのように形成されている。板ばね１２の頭部端１４から出るループ部分１６は、導体導入方向とは逆向きに保持脚辺  の背面から離れるように延び、導体導入方向に板ばね１２の基端１８へ戻るループ部分２０は、角形片母線片の昇降スリツト１３を通つて延びている。板ばね１２の基端１８は締付け縁を持ち、この締付け縁は角形片母線片の接触脚辺１１の方へ向けられ、この接触脚辺１１と共に接続すべき電気導体用の締付け個所を形成している。
【００１５】
板ばね１２は角形片母線片の昇降スリツト１３へ角形片の内側（図１において左側）から挿入される。角形片母線片への板ばね１２への組込み又は挿入は問題なく、全自動的に実施可能である。なぜならば、接触子挿入体のすべての板ばね１２の頭部端１４は互いに結合されており、即ち板ばねの打抜きの際その頭部端は互いに分離されず、すべての板ばねにわたつて連続する頭部条片の形で互いに結合されたままだからである。
【００１６】
図１は、図２による接触子挿入体を持つ完全に組立てられた状態にある接続端子を示している。接続端子の絶縁物ハウジング４への接触子挿入体の挿入は、基本的には端面の組立て口を経て行われ、続いて導体導入通路の方向へ端面の絶縁物蓋５を絶縁物ハウジング４へ押込むことにより、この絶縁物蓋５により組立口が閉鎖される。
【００１７】
この組立て方式は、各締付け個所のためにこの締付け個所の導体導入通路を隣接する締付け個所の導体導入通路から別々に分離する特別な構成の隔壁と組合されている。締付け個所の間の隔壁はそれぞれ２つの部分片から形成され、そのうち一方の部分片２１は絶縁物蓋５に一体に形成され、他方の部分片２３は絶縁物ハウジング４に一体に形成されている。部分片２１の縁輪郭２２と部分片２３の縁輪郭２４は、導体導入通路において直角になつている角形片母線片の保持脚辺１０をその間に（縁近くで）きつく囲むように形成されている。
【００１８】
隔壁のハウジング側部分片２３の底側縁輪郭２５も、導体導入通路の方向に延びる角形片母線片の保持脚辺１０に（縁近くで）きつく接するので、締付け個所の導体導入通路は隣接する締付け個所の導体導入通路に対してほぼ気密に閉鎖されている。
【００１９】
この種のすべての接続端子のように、図１に示す接続端子も、角形片母線片に加わる電圧を検査するための検査口２６を持つている。
【００２０】
図３は、切欠かれた状態で、挿入された電気導体２７を持つ図１による接続端子を示し、図示した事例では、簡単化のため電気導体は１線導体であるが、実際には多線導体特に細線導体であつてもよい。
【図面の簡単な説明】
【図１】本発明による端子の中心軸線に沿う断面図である。
【図２】本発明による端子の接触子挿入体の斜視図である。
【図３】電気導体を挿入された図１による接続端子の斜視図である。
【符号の説明】
４          端子ハウジング（絶縁物ハウジング）
１０        保持脚辺
１１        接触脚辺
１２        板ばね
１３        スリツト状長穴貫通孔（昇降スリツト）
１４        頭部端
１５        側面
１６，２０  ループ部分
１８        基端
【図１】
0004093289.tif 000002
【図２】
0004093289.tif 000003
【図３】
0004093289.tif 000004